(57)【要約】      （修正有）【課題】家庭のインテリアになじみやすく、簡便に計測することが可能な血圧計測装置を提供する。【解決手段】血圧計測装置１は、両手２，３で保持される周面（１１ｃ，１２ａ）の形成された筐体１０と、筐体１０を保持する手を通して心臓の動きに伴う心電信号を検出する心電用電極３１，３２と、筐体１０を保持する手を通して心臓の動きに伴う脈波信号を検出する脈波センサ２０と、心電用電極３１，３２により検出された心電信号及び脈波センサ２０により検出された脈波信号に基づいて血圧を推定する制御部（推定部）と、少なくとも制御部により推定された血圧を表示する表示部５０とを備える。【選択図】図３
2013226189.tif 000002
【特許請求の範囲】
【請求項１】
両手（２，３）で保持される周面（１１ｃ，１２ａ）の形成された筐体（１０，１１０，２１０，３１０，４１０，５１０）と、
前記筐体（１０，１１０，２１０，３１０，４１０，５１０）を保持する手を通して心臓の動きに伴う心電信号を検出する心電用電極（３０）と、
前記筐体（１０，１１０，２１０，３１０，４１０，５１０）を保持する手を通して心臓の動きに伴う脈波信号を検出する脈波センサ（２０）と、
前記心電用電極（３０）により検出された心電信号及び前記脈波センサ（２０）により検出された脈波信号に基づいて血圧を推定する推定部（６０）と、
少なくとも前記推定部（６０）により推定された血圧を表示する表示部（５０）と、
を備えたことを特徴とする血圧計測装置（１）。
【請求項２】
前記筐体は、球形状に形成されている請求項１に記載の血圧計測装置。
【請求項３】
前記筐体は、前記周面が両手の掌（２ａ，３ａ）及び指（２ｂ，３ｂ）の曲げ動作に応じて面接触可能とされている請求項２に記載の血圧計測装置。
【請求項４】
前記筐体は、前記周面の胴回り長さが３００ｍｍ以上に設定されている請求項３に記載の血圧計測装置。
【請求項５】
前記筐体は、前記周面の前後方向厚さが３０ｍｍ以上に設定されている請求項３に記載の血圧計測装置。
【請求項６】
前記筐体（２１０）は、前記周面を視覚又は触覚で認知させる案内部（１３）を有する請求項１に記載の血圧計測装置。
【請求項７】
前記脈波センサは、前記筐体を保持する掌に対応して設けられている請求項１に記載の血圧計測装置。
【請求項８】
前記脈波センサは、前記筐体をその高さ方向にて二等分する水平面（Ｈ）よりも下方に配置されている請求項７に記載の血圧計測装置。
【請求項９】
前記脈波センサは、前記筐体の前後方向厚さを二等分する垂直面（Ｖ１）よりも前方に配置されている請求項７又は８に記載の血圧計測装置。
【請求項１０】
前記心電用電極として、前記筐体を保持する両手の掌又は指に対応して左手用電極（３１）及び右手用電極（３２）がそれぞれ設けられている請求項１に記載の血圧計測装置。
【請求項１１】
前記左手用電極及び前記右手用電極は、少なくともその一部が前記脈波センサを通る水平面（Ｈ１）よりも上方に配置されている請求項１０に記載の血圧計測装置。
【請求項１２】
前記心電用電極は、前記左手用電極及び前記右手用電極に加えて、更に体動によるノイズを除去するための中間電極（３３，３４）を含む請求項１０又は１１に記載の血圧計測装置。
【請求項１３】
前記心電用電極は、前記筐体からの突出高さが０．５ｍｍ〜１．０ｍｍとなるように該筐体内に組み込まれている請求項１に記載の血圧計測装置。
【請求項１４】
前記表示部は、前記水平面よりも上方、かつ前記垂直面よりも前方に配置されている請求項９ないし１３のいずれか１項に記載の血圧計測装置。
【請求項１５】
前記表示部は、時刻を表示する機能を有する請求項１４に記載の血圧計測装置。
【請求項１６】
前記表示部は、測定結果を表示するまでの間、測定中であることを認知させる表示機能を有する請求項１４又は１５に記載の血圧計測装置。
【発明の詳細な説明】
【技術分野】
【０００１】
本発明は、血圧計測装置に関する。
【背景技術】
【０００２】
この種の血圧計測装置として、両手をそれぞれ乗せるように本体としての水平ケースに掌支持部が設けられた生体信号測定器が知られている（例えば、下記特許文献１参照）。各掌支持部は、成人の肩幅程度に離間して配設され、掌の拇指球と接触するように第１電極（第３電極）が形成されるとともに、掌の小指球と接触するように第２電極（第４電極）が形成されている。また、掌支持部の一方には、指の一部に対応して血圧を測定することができる血圧カフが設けられている。この生体信号測定器によれば、両手の掌を開いた状態で各掌支持部に乗せ、指の一部を血圧カフに挿入するだけで、血圧、心拍数等の生体情報を容易に計測することができる。計測された生体情報は、水平ケースの中間位置に突設された垂直ケースのディスプレイを通じて確認することができる。
【先行技術文献】
【特許文献】
【０００３】
【特許文献１】特開２００７−０７５５８６号公報
【発明の概要】
【発明が解決しようとする課題】
【０００４】
しかし、上記特許文献１に記載されている生体信号測定器は、いかにも測定機器といった外形を有しており、家庭での使用に適しているとはいえなかった。このため、家庭に置いても自然な形であり、インテリアになじむ形状の血圧計の開発が望まれていた。一方、病院などの医療機関においても、医師や看護師の手を借りることなく、被測定者自らが血圧を簡便に計測できる血圧計の開発が望まれていた。
【０００５】
本発明は、上記課題に対処するためになされたものであり、その目的は、家庭のインテリアになじみやすく、簡便に計測することができ、また家庭用としてのみならず病院用としても有用な血圧計測装置を提供することにある。
【課題を解決するための手段及び発明の効果】
【０００６】
上記課題を達成するために、本発明の血圧計測装置は、
両手で保持される周面の形成された筐体と、
筐体を保持する手を通して心臓の動きに伴う心電信号を検出する心電用電極と、
筐体を保持する手を通して心臓の動きに伴う脈波信号を検出する脈波センサと、
心電用電極により検出された心電信号及び脈波センサにより検出された脈波信号に基づいて血圧を推定する推定部と、
少なくとも推定部により推定された血圧を表示する表示部と、
を備えたことを特徴とする。
【０００７】
本発明の血圧計測装置では、被測定者が血圧計測装置の筐体を両手で保持するだけで血圧を計測することができる。このように、血圧の計測が極めて簡便であるため、家庭用及び病院用としてその有用性を高めることができる。また、筐体を、例えば球形状に形成した場合にはインテリアになじみやすくなり、家庭での使用にも適したものとなる。
【図面の簡単な説明】
【０００８】
【図１】本発明の実施例１に係り、血圧計測装置の斜視図。
【図２】（Ａ）は図１の血圧計測装置の正面図。（Ｂ）は（Ａ）の平面図。（Ｃ）は（Ａ）の側面図。（Ｄ）は（Ａ）の背面図。（Ｅ）は（Ａ）の底面図。
【図３】（Ａ）は図１の血圧計測装置を両手で保持した状態を示す正面図。（Ｂ）は（Ａ）の平面図。
【図４】（Ａ）は図１の血圧計測装置の仕様を模式的に示す説明図。（Ｂ）は厚さの条件を満たしていない場合の斜視図。
【図５】（Ａ）は心電用電極の断面図。（Ｂ）はＳ／Ｎ比を心電波形を用いて示す説明図。（Ｃ）は１０拍を計測した心電図においてＳ／Ｎ比が２以上であった割合と電極の厚さとの対応関係を示すグラフ。
【図６】表示部での表示内容を示す説明図。
【図７】図２の制御部により実行される血圧等計算プログラムを示すフローチャート。
【図８】心電信号と脈波信号を示すグラフ。
【図９】脈波信号とそれを微分した信号を示すグラフ。
【図１０】実施例２に係る血圧計測装置の側面図。
【図１１】（Ａ）は実施例３に係る血圧計測装置を両手で保持した状態を示す斜視図。（Ｂ）は（Ａ）の血圧計測装置の平面図。（Ｃ）は（Ｂ）の側面図。（Ｄ）は（Ｂ）の背面図。
【図１２】（Ａ）は実施例４に係る血圧計測装置を両手で保持した状態を示す斜視図。（Ｂ）は（Ａ）の血圧計測装置の側面図。
【図１３】実施例５に係る血圧計測装置の側面図。
【図１４】実施例６に係る血圧計測装置の背面図。
【発明を実施するための形態】
【０００９】
以下、本発明の実施形態について図面を用いて説明する。
【実施例１】
【００１０】
血圧計測装置１は、被測定者の心電信号及び脈波信号を検出する機能、検出した心電信号及び脈波信号に基づいて血圧等を計算する機能、計算した血圧等を表示する機能を有するものであり、図１〜図３に示されるように、筐体１０、脈波センサ２０、心電用電極３０、操作スイッチ４０、表示部５０及び制御部６０を含んで構成されている。なお、図２以降では、操作スイッチ４０の記載が省略されている。
【００１１】
筐体１０は、球形状に形成されている。ここで、本明細書において「球形状」とは、幾何学で定義される厳密な意味での球形に限定されるものではなく、断面形状（横断面又は縦断面）が卵形や楕円形、楕円に似た凸状の閉じた滑らかな曲線、あるいは長円形などを広く含む意である。具体的に、筐体１０は、正面視にて円形に近く（図２（Ａ）参照）、平面視にて楕円形に近く（図２（Ｂ）参照）、側面視にて卵形に近い形態をなし（図２（Ｃ）参照）、ケース体１１と蓋体１２とを備え、ケース体１１の平らな底部１１ａを下側として台上に載置することで起立するようになっている。
【００１２】
ケース体１１と蓋体１２は、協働して制御部６０を含む回路基板等を内部に収容し（図２（Ａ）の破線参照）、ケース体１１が正面側に配置され、蓋体１２が背面側に配置される（図２（Ｂ）、２（Ｃ）参照）。具体的には、筐体１０をその高さ方向にて二等分する水平面をＨとし、その水平面Ｈで規定される筐体１０の前後方向厚さを二等分する垂直面をＶ１とした場合、蓋体１２は垂直面Ｖ１よりも後方側に配置される。また、水平面Ｈで規定される筐体１０の左右方向厚さを二等分する垂直面をＶ２とした場合、筐体１０は垂直面Ｖ２に対して左右対称である。
【００１３】
ケース体１１は、図２（Ｃ）の側面視に示されるように、水平面Ｈよりも下方領域にて最も前側に突出する頂部１１ｂを有し、頂部１１ｂよりも下側の周面１１ｃは力を抜いた被測定者の掌の自然なカーブに近い、法線が斜め下向きに延び出す曲面形状に形成されている。このため、図３に示されるように、被測定者が筐体１０を両手２，３で保持する場合、掌２ａ，３ａをケース体１１の周面１１ｃに密着させてケース体１１を斜め下（斜め横）から支え持つようにするのが自然な格好となる。
【００１４】
つまり、被測定者が筐体１０を両手２，３で保持すると、掌２ａ，３ａ及び指２ｂ，３ｂの自然な曲げ動作に応じて、掌２ａ，３ａと指２ｂ，３ｂの基端部がケース体１１の周面１１ｃと面接触するとともに、指２ｂ，３ｂの先端部及び中間部が蓋体１２の周面１２ａと面接触するようになる。したがって、被測定者は筐体１０をグリップのように握り込むことがないので、両手２，３に余計な力が入らなくなって、安定した計測を行うことができる。
【００１５】
そして、図４（Ａ）に示されるように、筐体１０は、両手２，３で保持される周面１１ｃの前後方向厚さが３０ｍｍ以上に設定されるとともに、胴回り長さが３００ｍｍ以上に設定されている。周面１１ｃの前後方向厚さが３０ｍｍ未満であると、図４（Ｂ）に示されるように、ケース体１１と掌２ａ，３ａとの間に隙間Ｄができやすく、後述する脈波センサ２０と掌３ａとの安定した接触を確保することが困難となるが、厚さが３０ｍｍ以上であると、平均的な手の長さ（中指の先端から手首までの長さ、６０〜６４歳の男性で約１９１ｍｍ、女性で約１７８ｍｍ）をもつ男性の場合でも、ケース体１１と掌２ａ，３ａとの間に隙間Ｄができにくくなる。
【００１６】
また、周面１１ｃの胴回り長さが３００ｍｍ未満であると、筐体１０を両手２，３で保持したときに指２ｂ，３ｂ同士が触れやすくなり、後述する心電用電極３０によって正常な心電信号を検出することが困難となるが、胴回り長さが３００ｍｍ以上であると、平均的な手の長さをもつ男性の場合でも、筐体１０を両手２，３で保持したときに指２ｂ，３ｂ同士が接触しにくくなる。なお、周面１１ｃの胴回り長さは、最大で１０００ｍｍ程度に設定することができる。
【００１７】
脈波センサ２０は、発光素子（例えば発光ダイオード）及び受光素子（例えばフォトダイオード）を含んで構成される周知の光学式反射型センサである。具体的には、発光素子から乗員の手に向けて光が照射されると、光の一部が人体の内部を通る小・細動脈（毛細動脈）を流れる血液中のヘモグロビンに吸収され、残りの光が小・細動脈で反射して散乱し、散乱した光の一部が受光素子に入射する。血液の脈動により小・細動脈を流れるヘモグロビンの量は波動的に変化し、ヘモグロビンに吸収される光も波動的に変化する。したがって、小・細動脈で反射して受光素子で検出される受光量が変化することになり、このときの受光量の変化を脈波信号（例えば電圧信号）として制御部６０に出力する。
【００１８】
脈波センサ２０は、筐体１０を保持する片方の手の掌に対応して設けられている。具体的には、脈波センサ２０は、ケース体１１の、水平面Ｈよりも下方、かつ垂直面Ｖ１よりも前方に配置されている。より具体的には、脈波センサ２０は、図２（Ｃ）の側面視に示されるように、ケース体１１が前側に最も突出する頂部１１ｂに近い、頂部１１ｂの上方位置に配置され、筐体１０を両手２，３で保持したときに掌３ａの拇指球（親指の付け根のふくらんだ部分）に対応する部位に埋設されている（図３参照）。なお、脈波センサ２０は、掌３ａの拇指球に対応する部位に限らず、掌２ａの拇指球に対応する部位に設けるようにしてもよい。
【００１９】
脈波センサ２０を通して脈波信号を検出する場合、脈波センサ２０を適度な力で押圧する必要がある。すなわち、脈波センサ２０と掌３ａ（２ａ）の皮膚とが確実に接触する程度の力を脈波センサ２０に加える必要があるが、力を入れ過ぎると皮膚の下の血管がつぶれてしまい脈波信号を検出できなくなってしまう。一方、脈波センサ２０を押圧する手の部分を親指とした場合には、力を入れ過ぎないように力の加減は容易となるが、脈波センサ２０上に親指を乗せる必要があることに加えて、脈波センサ２０に対して一定かつ適度な大きさの力を継続して加える必要があることから、親指が震えてしまいノイズが発生しやすい。
【００２０】
これに対して、脈波センサ２０を掌３ａ（２ａ）の拇指球に対応する部位に設けるようにした場合には、筐体１０を両手２，３で保持するだけで脈波センサ２０と掌３ａ（２ａ）とを接触させることが可能であり、被測定者に脈波センサ２０の存在を意識させなくて済むので、脈波センサ２０に対して一定かつ適度な大きさの力を継続して加えることができる。
【００２１】
心電用電極３０は、心電信号（電極間の電位差に基づく信号）を検出して制御部６０に出力するものであり、図２（Ｃ）及び２（Ｄ）に示されるように、筐体１０を保持する両手２，３の指２ｂ，３ｂに対応して設けられた左右一対の左手用電極３１及び右手用電極３２と、同じく左右一対の中間電極３３，３４とを備えている。各電極３１〜３４は、いずれも蓋体１２に設けられている。
【００２２】
左手用電極３１及び右手用電極３２は、脈波センサ２０を通って水平面Ｈと平行な面を水平面Ｈ１とした場合、いずれもその少なくとも一部が水平面Ｈ１よりも上方に配置されている。これは、被測定者が筐体１０を両手２，３で保持し、掌２ａ，３ａをケース体１１の周面１１ｃに密着させてケース体１１を斜め下（斜め横）から支え持つようにした場合に、掌２ａ，３ａでの保持位置が大きく変わったとしても、指２ｂが左手用電極３１に確実に触れ、指３ｂが右手用電極３２に確実に触れるようにしたものである。
【００２３】
中間電極３３，３４は、水平面Ｈよりも下方に配置されている。これにより、被測定者が筐体１０を両手２，３で保持し、掌２ａ，３ａをケース体１１の周面１１ｃに密着させてケース体１１を斜め下（斜め横）から支え持つようにした場合に、指２ｂが左手用電極３１と中間電極３３に確実に触れ、指３ｂが右手用電極３２と中間電極３４に確実に触れるようになる。中間電極３３，３４は、筐体１０の内部で短絡されて一つの電極として機能し、各電極３１〜３４で検出された信号が例えばオペアンプで作動増幅されることによって、体動によるノイズが効果的に除去されるようになっている。
【００２４】
各電極３１〜３４は、図２（Ｄ）の背面視に示されるように、長円形の２つの線分をいずれも円弧状としたものであり、各円弧の凹部が蓋体１２の中心側を向くように配置されている。各電極３１〜３４は、図５（Ａ）に示されるように、いずれも蓋体１２からの突出高さｄが０．５ｍｍ〜１．０ｍｍとなるように筐体１０内に組み込まれている。
【００２５】
図５（Ｂ）に示されるように、心電図におけるＲ波の振幅をＳとし、心電図におけるＲ波以外の部分の平均振幅をＮとした場合、Ｓ／Ｎ比が大きいほどＲ波の抽出が容易となる。ここで、厚さが０．３ｍｍ、０．５ｍｍ、１．０ｍｍ、１．５ｍｍの電極を使用し、電極毎に心電を１０拍計測して、Ｓ／Ｎ比が２以上であった割合を求めた。図５（Ｃ）に示されるように、厚さが０．５ｍｍと１．０ｍｍの場合に最も良い結果が得られた。すなわち、各電極３１〜３４において、蓋体１２からの突出高さｄを０．５ｍｍ〜１．０ｍｍに設定することで、心電図におけるＳ／Ｎ比を大きくすることが可能である。なお、電気的なインピーダンスを確保するために、各電極３１〜３４の突出平面部の面積が１ｃｍ２程度に設定されている。
【００２６】
操作スイッチ４０は、例えば押圧釦式のものであり、計測を開始するための計測開始スイッチ４１の他、被測定者が個人情報等の数値を入力するための選択スイッチ４２を含んで構成されている（図１参照）。なお、操作スイッチ４０は、押圧釦式に限らず、例えば静電容量の変化により指の接触を検知するタッチ式のもの等を広く採用することができる。
【００２７】
表示部５０は、図６に示されるように、例えば７セグメントＬＥＤ５１を用いたディスプレイであり、被測定者が見やすいように、水平面Ｈよりも上方かつ垂直面Ｖ１よりも前方に配置されている。表示部５０は、測定結果、すなわち制御部６０により計算された被測定者の血圧（最高血圧、最低血圧）及び脈拍数を表示する。なお、表示部５０は、７セグメントＬＥＤ５１を用いたものに限らず、ＬＣＤ（液晶）や有機ＥＬ等を用いたディスプレイを広く採用することができる。
【００２８】
表示部５０は、血圧計測装置１が血圧計として使用されていないときは時刻を表示する機能に加え、さらに測定結果を表示するまでの間、測定中であることを認知させる表示機能を備えている。この表示機能は、例えば所定のマークが形成されるように７セグメントＬＥＤ５１の一部を点灯させ、そのマークが周回している間は測定中であることを被測定者に知らしめるものとすることができる。測定結果が出ていないからといって表示部５０に何も表示させないと、被測定者は測定中であるのか動作が止まっているのかの区別ができず、このような不安感を被測定者に与えるのは好ましくないからである。
【００２９】
制御部６０は、ＣＰＵ、ＲＯＭ、ＲＡＭなどからなるマイクロコンピュータ、入力Ｉ／Ｆ（インタフェース）回路及び出力Ｉ／Ｆ（インタフェース）回路を主要構成部品とし、ＲＯＭに記憶された図７の血圧等計算プログラムを実行する。制御部６０は、入力Ｉ／Ｆ回路を介して取得した心電用電極３０からの心電信号と脈波センサ２０からの脈波信号に基づいて血圧、脈拍数を計算し、それらの計算値をＲＡＭに記憶するとともに、出力Ｉ／Ｆ回路を介して表示部５０に表示する。制御部６０が本発明の推定部に相当する。
【００３０】
次に、上記のように構成された血圧計測装置１の作動について説明する。制御部６０は、操作スイッチ４０の計測開始スイッチ４１のオンにより図７の血圧等計算プログラムの実行を開始する。
【００３１】
なお、血圧計測装置１が電源オン状態でない場合は、電源オンにより血圧計測装置１を起動する（Ｓ１）。被測定者は必要に応じて選択スイッチ４２により個人情報を入力する（Ｓ２）。計測開始スイッチ４１のオン後に（Ｓ３）、被測定者が筐体１０を両手２，３で保持すると、心電用電極３０は掌３ａを通して心電信号を検出し、脈波センサ２０は指２ｂ，３ｂを通して脈波信号を検出する（Ｓ４）。
【００３２】
制御部６０は、心電用電極３０からの心電信号及び脈波センサ２０からの脈波信号に基づいて、血圧、脈拍数を計算する（Ｓ５）。この場合、心電信号及び脈波信号に基づいて血圧、脈拍数を計算する手法としては、例えば特開２００９−０８９８２９号公報に記載された技術が知られており、本実施例１ではこの技術を利用して血圧、脈拍数を計算するようにしている。
【００３３】
具体的に、制御部６０は、図８に示されるように、心電信号と脈波信号を比較して、心電信号に対する脈波信号の遅れ時間である脈波伝播時間ＰＴＴを求める。また、制御部６０は、脈波信号を解析して脈波周期Ｔを求めるとともに、図９に示されるように、１階微分（速度脈波）、２階微分（加速度脈波）を行い、各微分における特徴量すなわち極大値、極小値（速度脈波であれば、例えば図９のａ１〜ｆ１、加速度脈波であれば、例えば図９のａ〜ｆ）を求める。
【００３４】
次に、制御部６０は、脈波信号を解析して脈波が若年層タイプか高齢層タイプかを区別（層別）する。具体的には、２階微分（加速度脈波）の特徴量ａ〜ｅを用いた、層別判定式（ｂ−ｃ−ｄ−ｅ）／ａの値が所定の判定値（例えば−０．５）以下の場合には若年層タイプと判定し、そうでない場合には高齢層タイプと判定し、若年層タイプであれば次式（１）を選択し、高齢層タイプであれば次式（２）を選択して、各式（１），（２）に基づいて血圧ＢＰを求める。なお、各式（１），（２）において、個人情報である体重Ｗは省略することができる。
ＢＰ＝αｙ・ＰＴＴ＋βｙ・ｄ＋γｙ・Ｗ＋・・・                …（１）
ＢＰ＝αｏ・ＰＴＴ＋βｏ・ｄ＋γｏ・Ｗ＋・・・                …（２）
ここで、αｙ、βｙ、γｙ、αｏ、βｏ、γｏはそれぞれ係数を示し、Ｗは体重を示す。
【００３５】
また、制御部６０は、求めた脈波周期Ｔ（秒）から次式（３）に基づいて脈拍数ＰＲを求める。
ＰＲ＝６０／Ｔ                …（３）
【００３６】
制御部６０は、図７のステップＳ５の処理後、求めた血圧ＢＰ、脈拍数ＰＲを出力Ｉ／Ｆ回路を介して表示部５０に表示する（Ｓ６）。この場合、通常の血圧計と同様、血圧ＢＰとして最高血圧、最低血圧が示される（図６参照）。
【００３７】
以上の説明からも明らかなように、上記実施例１では、被測定者が血圧計測装置１の筐体１０を両手２，３で保持するだけで血圧を計測することができる。このように、血圧の計測が極めて簡便であり、家庭用及び病院用としてその有用性を高めることができる。また、筐体１０が球形状に形成されているため、インテリアになじみやすく、家庭での使用に好適である。
【実施例２】
【００３８】
上記実施例１では、筐体１０が垂直面Ｖ１に対して非対称な形状に形成されていたが、筐体１０の形状はこれに限らず、例えば図１０の筐体１１０に示されるように、垂直面Ｖ１に対して対称（より卵形に近い）となるように形成してもよい。なお、図１０に示される実施例２において、筐体１１０の形状以外の構成は上記実施例１と同じであるので、対応する部材、部位には同一の符号を付して説明は省略する。
【００３９】
この実施例２によっても、上記実施例１と同様、血圧等を簡易に測定することができる。
【実施例３】
【００４０】
図１１の筐体２１０に示されるように、両手２，３で保持するに際して、掌２ａ，３ａ及び／又は指２ｂ，３ｂの保持位置を被測定者に認知させる案内部１３を設けることができる。案内部１３は、掌２ａ，３ａ及び／又は指２ｂ，３ｂの保持位置に対応して筐体２１０に凹凸（段差）を設け、あるいは保持位置に対応した筐体２１０の表面に印刷又はシール材を貼付して形成することができる。なお、図１１に示される実施例３において、案内部１３以外の構成は上記実施例１と同じであるので、対応する部材、部位には同一の符号を付して説明は省略する。
【００４１】
この実施例３のように、筐体２１０に凹凸を設けることで、両手２，３で保持されるケース体１１側の周面１１ｃ、蓋体１２側の周面１２ａの位置を被測定者が触覚で容易に認知できるようになる。また、筐体２１０の表面に印刷等を施すことで、両手２，３で保持される上記周面１１ｃ，１２ａの位置を被測定者が視覚で容易に認知できるようになる。いずれの場合にも、血圧計測装置１の使い勝手を向上させることができる。
【実施例４】
【００４２】
上記実施例１では、心電用電極３０が筐体１０の蓋体１２に設けられていたが、これに代えて例えば図１２の筐体３１０に示されるように、心電用電極３０をケース体１１に設けるようにしてもよい。なお、図１２（Ａ）及び１２（Ｂ）では、右手３の指３ｂに対応する右手用電極３２と中間電極３４のみが記載されているが、左手２の指２ｂに対応する左手用電極３２と中間電極３４についても、右手用電極３２と中間電極３４の場合と同様にしてケース体１１に設けられている。図１２に示される実施例４において、心電用電極３０以外の構成は上記実施例１と同じであるので、対応する部材、部位には同一の符号を付して説明は省略する。
【００４３】
この実施例４では、心電用電極３０が筐体３１０の、垂直面Ｖ１よりも後方部位に設けられ、心電用電極３０が両手２，３の指２ｂ，３ｂに対応して設けられている。この実施例３のように心電用電極３０の配置を変更しても、上記実施例１と同様、血圧等を簡易に測定することができる。
【実施例５】
【００４４】
上記実施例４に代えて、例えば図１３の筐体４１０に示されるように、心電用電極３０を筐体４１０の、垂直面Ｖ１よりも前方部位に設けるようにしてもよい。なお、図１３に示される実施例５において、心電用電極３０以外の構成は上記実施例１と同じであるので、対応する部材、部位には同一の符号を付して説明は省略する。
【００４５】
この実施例５では、心電用電極３０が両手２，３の指２ｂ，３ｂか、あるいは掌２ａ，３ａと対応するようになるが、心電用電極３０と指２ｂ，３ｂ又は掌２ａ，３ａとの接触は確保されるので、上記実施例１と同様、血圧等を簡易に測定することができる。
【００４６】
なお、上記実施例４及び５では、血圧計測装置１が上記実施例１のタイプである場合について説明したが、筐体１１０が垂直面Ｖ１に対して対称な形状とされた上記実施例２のタイプや、筐体２１０が案内部１３を備えた上記実施例３のタイプについても、上記実施例４及び５の場合と同様にして心電用電極３０の配置を変更することができる。
【実施例６】
【００４７】
上記実施例１〜５では、心電用電極３０として中間電極３３，３４を含むように構成されていたが、例えば図１４の筐体５１０に示されるように、中間電極３３，３４を省略することもできる。なお、図１４に示される実施例６において、心電用電極３０以外の構成は上記実施例１と同じであるので、対応する部材、部位には同一の符号を付して説明は省略する。
【００４８】
なお、上記実施例１等では、血圧、脈拍数を計測するようにしたが、これらに加えて、例えば体脂肪を求めるようにしてもよい。
【００４９】
また、上記実施例１〜６のように、ケース体１１と蓋体１２との嵌合位置が垂直面Ｖ１よりも後方部位に位置する形態に限定されるものではなく、ケース体１１と蓋体１２との嵌合位置は適宜変更可能である。
【符号の説明】
【００５０】
１  血圧計測装置
２，３  両手
２ａ，３ａ  掌
２ｂ，３ｂ  指
１０，１１０，２１０，３１０，４１０，５１０  筐体
１１  ケース体
１１ａ  底面
１１ｂ  頂部
１１ｃ  周面
１２  蓋体
１２ａ  周面
１３  案内部
２０  脈波センサ
３０  心電用電極
３１  左手用電極
３２  右手用電極
３３，３４  中間電極
４０  操作スイッチ
５０  表示部
６０  制御部（推定部）
Ｈ，Ｈ１  水平面
Ｖ１  垂直面
【図１】
2013226189.tif 000003
【図２】
2013226189.tif 000004
【図３】
2013226189.tif 000005
【図４】
2013226189.tif 000006
【図５】
2013226189.tif 000007
【図６】
2013226189.tif 000008
【図７】
2013226189.tif 000009
【図８】
2013226189.tif 000010
【図９】
2013226189.tif 000011
【図１０】
2013226189.tif 000012
【図１１】
2013226189.tif 000013
【図１２】
2013226189.tif 000014
【図１３】
2013226189.tif 000015
【図１４】
2013226189.tif 000016